(57)【要約】【課題】複数のフィルムを読み取るフィルムスキャナにおいて、読み取り部を共有し、コストダウンを図る。【解決手段】ＡＰＳと１３５ｍｍの両方を読み取るフィルムスキャナにおいて、従来別々であったＡＰＳと１３５ｍｍのフィルム給送経路を交差させ、交差したエリアに読み取り部を置く事で、読み取り部を共有させる事が可能となる形態を提案するものである。【選択図】        図１
2004336324.tif 000002
【特許請求の範囲】
【請求項１】
フィルム状の記録媒体を読取る読取部、及びフィルム状の記録媒体を平置状態で給送する給送部を有するフィルムスキャナにおいて、２種類のフィルム状の記録媒体を給送できる２本の給送レールを１個の読取開口部で交差させ各々の給送レールに給送用ローラを複数配設した事を特徴とするフィルムスキャナ。
【請求項２】
前記フィルム状の記録媒体を給送できる２本の給送レールの交差部分に回動自在な読取開口部を設け、且つ２本の給送レールに直交する位置に回動自在な読取開口部がロックできる事を特徴とする特許請求項第一項記載のフィルムスキャナ。
【請求項３】
フィルム状の記録媒体を読取る読取部、及びフィルム状の記録媒体を平置状態で給送する給送部を有するフィルムスキャナにおいて、回動自在なターンテーブルに２種類のフィルム状の記録媒体を給送できる２本の給送レールを回動中心で交差させ、且つ各々の給送レールに給送用ローラを複数配設し、更に回動自在なターンテーブルの回転中心部分に回動しない１個の読取開口部を設けた事を特徴とするフィルムスキャナ。
【発明の詳細な説明】
【０００１】
【発明の属する技術分野】
本発明は、フィルム状の記録媒体に対応したフィルムスキャナの給送構造
に関するものである。
【０００２】
【従来の技術】
近年、銀塩写真用の画像情報をデジタルデータとしてパソコン等に取込むフィルムスキャナの需要が高まっており、ここでは一般的に使われているフィルムスキャナ（特許文献１参照）の構造について説明を行う。
【０００３】
図６は従来のフィルムスキャナの外観斜視図を示すものである。図中、フィルムスキャナ本体の上面には、３５ｍｍ幅フィルム挿入口７とＡＰＳフィルム挿入口８が水平状態で且つ、並列に配設されている。
【０００４】
そして、上外装１、５が不図示の軸を介してフィルムスキャナ本体に連結されており、また上外装とフィルムスキャン本体にそれぞれ複数の給送ローラーが配設されており、ローラーの間をフィルムが二ップ圧により給送されるものである。
【０００５】
ここで、３５ｍｍ幅フィルム３を読取り状態にする場合は、図の様に３５ｍｍ幅フィルム３を３５ｍｍ幅フィルム挿入口７に乗せる事で、不図示のフィルム有無センサーによりフィルムが検出され、給送ローラーが回転し３５ｍｍ幅フィルム３を給送するものである（ＡＰＳも同様）。
【０００６】
図７は、従来例のスキャナの断面図を示す。図中、３５ｍｍ幅フィルム３が３５ｍｍ幅フィルム挿入口７から挿入されると、給送下ローラー１０と給送上ローラー９の間を通り、給送途中でスリット１７から画像が読み取られ、フィルム収納部１３に送られる。尚、前述のスリット１７の上部には光源１１が設けられ、光源から照射された光はフィルムを透過して下部に設けられた読取部１２で読取りが行われるものである。
【０００７】
図８は、給送部の断面図で、上部から見た図を示している。図中、本体ケース１４には３５ｍｍ幅フィルム給送用凹１５とＡＰＳフィルム給送用凹１６が設けられ、凹部には給送下ローラー１０が複数配置されている。そして、中央付近にはスリット１７が各々設けられ、ここから画像を読み込むものである。
【０００８】
【特許文献１】
特開２０００−１０５４２２号公報
【０００９】
【発明が解決しようとする課題】
しかしながら、上記従来例で説明したフィルムスキャナの構造では、２種類のフィルム状の記録媒体に対し、２個の読取り装置が必要となる。この読取装置は、ＣＣＤユニットとオートフォーカス（自動でピントを合わせる）とミラー、及びレンズ等の多数の部品から構成されており、精密部品な為、高価で調整に時間がかかるものであった。
【００１０】
【課題を解決するための手段】
上記課題を解決する為に、本発明にかかるフィルム状の記録媒体を読取る読取部、及びフィルム状の記録媒体を平置状態で給送する給送部を有するフィルムスキャナにおいて、フィルム状の記録媒体を給送できる２本の給送レールを１個の読取開口部で交差させ各々に給送用ローラを複数設けた事で読取装置が１個で、フィルム幅の異なった２種類のフィルムを読取する事が可能となった。
【００１１】
【発明の実施の形態】
［第一実施形態］
本発明に鑑み、実施形態を詳細に説明する。図２は、第一実施例のフィルムスキャナの給送部の断面を示したものであり、分かり易いように上外装を外した状態を図示している。図において、本体ケース１４の中央部には読取用のスリット１７が設けられ、そのスリット１７を跨ぐようにＡＰＳフィルム給送用凹１６と３５ｍｍ幅フィルム給送用凹１５が交差するように配置されている。そして、ＡＰＳフィルム給送用凹１６には給送下ローラー１０が、フィルム状の記録媒体（以後、フィルムと表記する）の進行方向に対して左右端に複数個設けられている。また、ローラーの前後には摩擦軽減用凸部１８が設けられ、フィルムを給送する際、フィルム中央の画像記録エリアが本体ケース１４に接触して傷にならないような構造を有している。そして、給送下ローラ１０の最後尾後方には、フィルム収納部１３が設けられ、給送されたフィルムが巻き取られるものである。
【００１２】
図１は、本実施形態のフィルムスキャナの外観斜視図である。図１の本体ケース１４の上面には上外装が有り、上外装の下面には給送上ローラが設けられている。図９は給送るローラー部を拡大した図である。図において、上外装側に設けられた給送上ローラー９と本体ケース側に設けられた給送下ローラー１０との間をフィルムが給送されるものである。
【００１３】
実際にフィルムを挿入し、画像を読込む過程を図で説明する。まず、フィルムを手前の３５ｍｍ幅フィルム給送用凹１５或いはＡＰＳフィルム給送用凹１６にセットすると、センサー等で検出され、不図示の上外装に設けられた給送上ローラと本体ケース１４側に設けられた給送下ローラ１０が回転しフィルムの給送を開始する。給送中のフィルムはスリット１７でフィルム上の画像を読取りデジタルデータに変換して電気処理基板から外部へ出力される。本来読取りスリットは、フィルムの給送方向に対して直角に配置されているが、本考案では斜めに位置しているが、画像データーの位置変換をする事でフィルムに直角に配設されたものと同じ画像が得られる。
【００１４】
［第二実施形態］
図３は、本考案の第二実施例を示すフィルムスキャナの給送部の断面を示すものである。図において、本体ケース１４の中央部には回動可能な読取用のスリット１７が設けられたテーブルが配設され、そのスリット１７を跨ぐようにＡＰＳフィルム給送用凹１６と３５ｍｍ幅フィルム給送用凹１５が交差するように配置されている。そして、ＡＰＳフィルム給送用凹１６には給送下ローラ１０が、フィルムの進行方向に対し左右端に複数個設けられている。また、ローラーの前後には摩擦軽減用凸部１８が設けられ、フィルムの給送時、フィルム中央の画像記録エリアが本体ケース１４に接触して傷にならないような構造を有している。そして、給送下ローラ１０の最後尾後方には、フィルム収納部１３が設けられ、給送されたフィルムが巻き取られるものである。
【００１５】
図３の本体ケース１４の上面には、従来例で説明した形態の上外装が有り、上外装の下面には給送上ローラが設けられている。
【００１６】
実際にフィルムを挿入し、画像を読込む過程を図３にて説明する。まず、中央部に設けられたスリット１７付きのテーブル１９を左に２０度回転させ、３５ｍｍ幅フィルム給送用凹１５の給送方向に対して直角になるようにする。次にフィルムを３５ｍｍ幅フィルム給送用凹１５にセットすると  、センサー等で検出され、不図示の上外装に設けられた給送上ローラと本体ケース１４側に設けられた給送下ローラ１０が駆動モーターにより回転しフィルムの給送を開始する。給送中のフィルムはスリット１７を通過する際、フィルムの画像を読取りデジタルデータに変換して電気処理基板から外部へ出力される。第一実施例では、スリット１７が斜めになっていたが、本考案ではフィルムの給送方向に対して直角にスリットが配置されているのでデータの補完を必要としない等のメリットがある。
【００１７】
また、ＡＰＳフィルムをセットする場合は、テーブル１９を右方向に４０度回転させる事で対応が可能である。
【００１８】
［第三実施形態］
図４は、本考案の第三実施例を示すフィルムスキャナの給送部を示すものである。図において、本体ケース１４の中央部には読取り用のスリット１７が設けられた不可動のテーブル１９が設けられている。そのスリット１７を跨ぐように回動可能なターンテーブル２０にＡＰＳフィルム給送用凹１６と３５ｍｍ幅フィルム給送用凹１５が交差するように設けられている。そして、ＡＰＳフィルム給送用凹１６には給送下ローラ１０が、フィルムの進行方向に複数個設けられている。また、ローラーの前後には摩擦軽減用凸レール１８が設けられ、フィルムの給送時、フィルム中央の画像記録エリアが本体ケース１４に接触して傷にならないような構造を有している。そして、給送下ローラ１０の最後尾後方には、フィルム収納部１３が設けられ、給送されたフィルムが巻き取られるものである。
【００１９】
実際にフィルムを挿入し、画像を読込む過程を図５で説明する。図の中でＡＰＳフィルムを読込む場合、ターンテーブル２０を左方向に回転させ、スリット１７とＡＰＳフィルム給送用凹が直交するようにセットしフィルムを給送させる形態をとる。次にフィルムを手前の３５ｍｍ幅フィルム給送用凹１５にセットすると、不図示の上外装に設けられた給送上ローラと本体ケース１４側に設けられた給送下ローラ１０が回転しフィルムの給送を開始する。給送中のフィルムはスリット１７でフィルム上の画像を読取りデジタルデータに変換して不図示の電気処理基板から外部へ出力される。第一実施例では、スリット１７が斜めになっていたが、本考案ではフィルムの給送方向に対して直角にスリットが配置されているのでデータの補完を必要としない。
【００２０】
また、ＡＰＳフィルムをセットする場合は、テーブル１９を右方向に４０度回転させる事で対応可能である。
【００２１】
【発明の効果】
上記課題を解決する為に、本発明にかかるフィルム状の記録媒体を読取る読取装置、及びフィルム状の記録媒体を平置状態で給送する給送装置を有するフィルムスキャナにおいて、フィルム状の記録媒体を給送できる２本の給送レールを１個の読取開口部で交差させ各々に給送用ローラを複数設けた事で読取装置が１個で、フィルム幅の異なった２種類のフィルムを読取する事が可能となっあ。
【図面の簡単な説明】
【図１】第１実施形態のフィルムスキャナの外観斜視図。
【図２】第１実施形態のフィルムスキャナの断面図。
【図３】第２実施形態のフィルムスキャナの断面図。
【図４】第３実施形態のフィルムスキャナの断面図。
【図５】第３実施形態のフィルムスキャナの断面図。
【図６】従来例の外観斜視図。
【図７】従来例の断面図。
【図８】従来例の給送部断面図。
【図９】給送部拡大図。
【符号の説明】
１  上外装
２  側板
３  ３５ｍｍ幅フィルム
４  上外装ロックレバー
５  上外装
６  上外装ロックレバー
７  ３５ｍｍ幅フィルム挿入口
８  ＡＰＳフィルム挿入口
９  給送上ローラー
１０  給送下ローラー
１１  光源
１２  読取部
１３  フィルム収納部
１４  本体ケース
１５  ３５ｍｍ幅フィルム給送用凹
１６  ＡＰＳフィルム給送用凹
１７  スリット
１８  摩擦軽減用凸部
１９  テーブル
２０  ターンテーブル
【図１】
2004336324.tif 000003
【図２】
2004336324.tif 000004
【図３】
2004336324.tif 000005
【図４】
2004336324.tif 000006
【図５】
2004336324.tif 000007
【図６】
2004336324.tif 000008
【図７】
2004336324.tif 000009
【図８】
2004336324.tif 000010
【図９】
2004336324.tif 000011